(57)【要約】【課題】操作部の設置位置が設置部の周方向において変更された際に操作部の姿勢を維持する。【解決手段】ヒータコントロール装置１０では、右ボデー８２及び左ボデー８４がそれぞれ右ケース６８及び左ケース７０に対し回転可能にされている。このため、Ａ／Ｍコントローラ６４やモードコントローラ６６の設置位置がメインコントローラ２２の周方向に沿って変更されて、右ケース６８や左ケース７０の姿勢が変更されても、右ボデー８２や左ボデー８４が右ケース６８や左ケース７０に対し回転されることで、右ボデー８２や左ボデー８４の姿勢を維持できる。これにより、Ａ／Ｍダイヤルノブ８６及び温度表示パネル９０やモードダイヤルノブ１００及びモード表示パネル１０２の姿勢を維持できる。【選択図】図１
2010023781.tif 000002
【特許請求の範囲】
【請求項１】
車室の空気を調節する空気調節装置に設けられ、操作されることで前記空気調節装置が制御される操作部と、
外周に前記操作部が設置され、周方向において前記操作部の設置位置が変更可能にされた設置部と、
前記操作部の設置位置が前記設置部の周方向において変更された際に前記操作部の姿勢を維持する維持手段と、
を備えた操作装置。
【請求項２】
前記操作部の裏側に設けられると共に、前記設置部の外周に設置され、設置位置が前記操作部と共に前記設置部の周方向において変更可能にされた裏側部を備え、かつ、前記維持手段として、前記操作部を前記裏側部に対して回転可能にした請求項１記載の操作装置。
【請求項３】
前記維持手段は、前記操作部の設置位置の前記設置部の周方向における変更を案内する請求項１又は請求項２記載の操作装置。
【請求項４】
前記操作部の設置位置を前記設置部の周方向に沿って変更可能にした請求項１〜請求項３の何れか１項記載の操作装置。
【発明の詳細な説明】
【技術分野】
【０００１】
本発明は、操作部が操作されることで空気調節装置が制御される操作装置に関する。
【背景技術】
【０００２】
操作装置としては、操作パネルにおいて、空調制御スイッチの外周に風量つまみ及び温度調整つまみが設置されたものがある（例えば、特許文献１参照）。
【０００３】
この操作装置では、操作パネルに、風量つまみの外周及び温度調整つまみの外周において、目盛が表示されており、風量つまみ外周の目盛は、風量つまみの回転位置（操作位置）に対応すると共に、温度調整つまみ外周の目盛は、温度調整つまみの回転位置（操作位置）に対応している。
【０００４】
ここで、仮に、操作パネルの意匠が変更されて、風量つまみや温度調整つまみの設置位置が空調制御スイッチの周方向において変更された際に、風量つまみや温度調整つまみの姿勢（周方向配置）が変更されたとする。
【０００５】
この場合、風量つまみや温度調整つまみの姿勢（周方向配置）の変更に対応して、風量つまみや温度調整つまみの外周の目盛の姿勢（周方向配置）を変更したとしても、風量つまみや温度調整つまみの操作上及び操作パネルの意匠上、好ましくない。
【特許文献１】特許第３３１７８４８号公報
【発明の開示】
【発明が解決しようとする課題】
【０００６】
本発明は、上記事実を考慮し、操作部の設置位置が設置部の周方向において変更された際に操作部の姿勢を維持できる操作装置を得ることが目的である。
【課題を解決するための手段】
【０００７】
請求項１に記載の操作装置は、車室の空気を調節する空気調節装置に設けられ、操作されることで前記空気調節装置が制御される操作部と、外周に前記操作部が設置され、周方向において前記操作部の設置位置が変更可能にされた設置部と、前記操作部の設置位置が前記設置部の周方向において変更された際に前記操作部の姿勢を維持する維持手段と、を備えている。
【０００８】
請求項２に記載の操作装置は、請求項１に記載の操作装置において、前記操作部の裏側に設けられると共に、前記設置部の外周に設置され、設置位置が前記操作部と共に前記設置部の周方向において変更可能にされた裏側部を備え、かつ、前記維持手段として、前記操作部を前記裏側部に対して回転可能にしている。
【０００９】
請求項３に記載の操作装置は、請求項１又は請求項２に記載の操作装置において、前記維持手段は、前記操作部の設置位置の前記設置部の周方向における変更を案内する。
【００１０】
請求項４に記載の操作装置は、請求項１〜請求項３の何れか１項に記載の操作装置において、前記操作部の設置位置を前記設置部の周方向に沿って変更可能にしている。
【発明の効果】
【００１１】
請求項１に記載の操作装置では、車室の空気を調節する空気調節装置に設けられた操作部が操作されることで、空気調節装置が制御される。また、設置部の外周に操作部が設置されており、操作部の設置位置が設置部の周方向において変更可能にされている。
【００１２】
ここで、操作部の設置位置が設置部の周方向において変更された際に、維持手段が操作部の姿勢を維持する。このため、操作部の姿勢を維持することができる。
【００１３】
請求項２に記載の操作装置では、裏側部が、操作部の裏側に設けられると共に、設置部の外周に設置されており、裏側部の設置位置が操作部と共に設置部の周方向において変更可能にされている。
【００１４】
ここで、維持手段として操作部を裏側部に対して回転可能にすることで、操作部の設置位置が設置部の周方向において変更された際に操作部の姿勢が維持される。このため、簡単な構成で操作部の姿勢を維持できる。
【００１５】
請求項３に記載の操作装置では、維持手段が操作部の設置位置の設置部の周方向における変更を案内することで、操作部の設置位置が設置部の周方向において変更された際に操作部の姿勢が維持される。このため、操作部の姿勢を容易に維持できる。
【００１６】
請求項４に記載の操作装置では、操作部の設置位置が設置部の周方向に沿って変更可能にされている。このため、操作部と設置部との距離を一定にでき、操作装置の意匠を適切にできる。
【発明を実施するための最良の形態】
【００１７】
［第１の実施の形態］
図１には、本発明の操作装置が適用されて構成された第１の実施の形態に係るヒータコントロール装置１０が右斜め表側から見た分解斜視図にて示されており、図２には、ヒータコントロール装置１０が右斜め表側から見た斜視図にて示されている。さらに、図３には、ヒータコントロール装置１０が表側から見た正面図にて示されている。なお、図面では、ヒータコントロール装置１０の表側（車両後側）を矢印ＦＲで示し、ヒータコントロール装置１０の右方（車両右方）を矢印ＲＨで示し、ヒータコントロール装置１０の上方（車両上方）を矢印ＵＰで示す。
【００１８】
本実施の形態に係るヒータコントロール装置１０は、車両のインストルメントパネル（図示省略）に設けられており、ヒータコントロール装置１０の表側は、車両後側に向けられて、車室内に露出されている。ヒータコントロール装置１０は、車両の空気調節装置１２（ヒータ）の一部を構成しており、空気調節装置１２は、車室の空気を調節可能にされている。
【００１９】
ヒータコントロール装置１０には、意匠部材としての略矩形板状のクラスタパネル１４（センタクラスタパネル）が設けられており、クラスタパネル１４は、インストルメントパネルの一部を構成している。クラスタパネル１４の左右方向中央には、円状の中央孔１６が貫通形成されており、クラスタパネル１４の右側部及び左側部には、それぞれ円状の右側孔１８及び左側孔２０が貫通形成されている。
【００２０】
クラスタパネル１４の中央孔１６内には、設置部としてのメインコントローラ２２が設けられている。メインコントローラ２２には、表側部材としての略有底円筒状の中央ボデー２４（メインボデー）が設けられており、中央ボデー２４の裏側面は、開放されている。
【００２１】
中央ボデー２４の表側には、中央操作部２６が設けられている。
【００２２】
中央ボデー２４の下側部分の表側には、操作部材としての外掴み式（有底円筒状）のブロアノブ２８が回転可能に支持されており、ブロアノブ２８が回転操作されることで、空気調節装置１２による車室への空気の送風のＯＮ／ＯＦＦが切り換えられると共に、空気調節装置１２が車室へ空気を送風する量が調整される。ブロアノブ２８内には、照明部としての導光路３０が設けられており、導光路３０は、光を透過可能にされている。導光路３０の表側面は車室に露出されており、導光路３０の裏側は、中央ボデー２４内に連通されている。
【００２３】
中央ボデー２４の表側部分には、外周において、操作部材としての外掴みダイヤル式（円筒状）のＦ／Ｒダイヤルノブ３２（内外気ノブ）が回転可能に支持されており、Ｆ／Ｒダイヤルノブ３２が回転操作されることで、空気調節装置１２が車室へ空気を送風する方法（車外の空気を導入して車室へ空気を送風する方法か又は車室の空気を循環させて車室へ空気を送風する方法か）が切り換えられる。Ｆ／Ｒダイヤルノブ３２の周壁内には、上記と同様の導光路３０が設けられており、導光路３０の表側面は車室に露出されると共に、導光路３０の裏側は中央ボデー２４内に連通されている。
【００２４】
中央ボデー２４の表側には、略有底円筒状のベゼル３４が組み付けられており、ベゼル３４は、ブロアノブ２８より裏側に配置されると共に、Ｆ／Ｒダイヤルノブ３２の内部に配置されている。ベゼル３４の表側には、表示部材としての略円板状の中央表示パネル３６（メイン表示パネル）が組み付けられており、中央表示パネル３６は、ブロアノブ２８より裏側に配置されると共に、Ｆ／Ｒダイヤルノブ３２内に配置されている。また、中央表示パネル３６の表面は、車室に露出されている。
【００２５】
中央表示パネル３６の下側部分には、ブロアノブ２８の導光路３０の表側面に対応して、空気調節装置１２が車室へ空気を送風する量やマークを表示する送風量表示３８が設けられており、中央表示パネル３６は、送風量表示３８部分において、透光性を有すると共に、裏面がベゼル３４を介して中央ボデー２４内に連通されている。
【００２６】
中央表示パネル３６の上端部分には、Ｆ／Ｒダイヤルノブ３２の導光路３０の表側面に対応して、空気調節装置１２が車室へ空気を送風する方法を表示する方法表示４０が設けられており、中央表示パネル３６は、方法表示４０部分において、透光性を有すると共に、裏面がベゼル３４を介して中央ボデー２４内に連通されている。
【００２７】
中央ボデー２４の表側には、左側部分において、操作部材としてのＡ／Ｃスイッチ４２（Ａ／Ｃノブ）が押圧可能に支持されており、Ａ／Ｃスイッチ４２は、ベゼル３４及び中央表示パネル３６を貫通して、表面が車室に露出されている。また、Ａ／Ｃスイッチ４２が押圧操作されることで、空気調節装置１２が空気に対する温度調節機能をＯＮにして空気調節装置１２が車室へ温度を調節した空気を送風するか、又は、空気調節装置１２が空気に対する温度調節機能をＯＦＦにして車室へ温度を調節しない空気を送風するか、が切り換えられる。Ａ／Ｃスイッチ４２内には、上記と同様の導光路３０が設けられており、導光路３０の表側面は車室に露出されると共に、導光路３０の裏側は中央ボデー２４内に連通されている。
【００２８】
中央ボデー２４の表側には、右側部分において、操作部材としてのリヤデフスイッチ４４（リヤデフノブ）が押圧可能に支持されており、リヤデフスイッチ４４は、ベゼル３４及び中央表示パネル３６を貫通して、表面が車室に露出されている。また、リヤデフスイッチ４４が押圧操作されることで、空気調節装置１２が車両のリヤウインドウの車室側の面へ空気を送風するか否かが切り換えられる。リヤデフスイッチ４４内には、上記と同様の導光路３０が設けられており、導光路３０の表側面は車室に露出されると共に、導光路３０の裏側は中央ボデー２４内に連通されている。
【００２９】
中央ボデー２４の周面には、上側部分及び下側部分において、維持手段の案内手段を構成する略半円環板状の案内板４６が一体に設けられており、上側の案内板４６は、裏側に配置されると共に、下側の案内板４６は、表側に配置されている。案内板４６には、右側部分及び左側部分のそれぞれにおいて、一対の案内溝４８が貫通形成されている。案内溝４８は、中央ボデー２４の周方向へ延伸されており、案内溝４８の一端は、案内板４６の周方向端縁から開放されている。
【００３０】
中央ボデー２４の裏側には、裏側部材としての略有底円筒状の中央ケース５０（メインケース、インシュレータ）が設けられている。中央ケース５０の表側面は、開放されており、中央ケース５０は、中央ボデー２４内に嵌入されている。
【００３１】
中央ケース５０の裏壁（底壁）には、表側面において、電気的機能部を構成する印刷回路基板５２が取り付けられている。印刷回路基板５２には、電気回路５４が設けられており、電気回路５４には、ブロアノブ２８、Ａ／Ｃスイッチ４２及びリヤデフスイッチ４４が電気的に接続されている。電気回路５４は中央ケース５０と電気的に接続し、更に、中央ケース５０にはコネクタ（図示省略）を介しワイヤハーネス（図示省略）が電気的に接続されており、ワイヤハーネスは、空気調節装置１２の制御部（図示省略）に電気的に接続されている。
【００３２】
中央ケース５０の裏側には、接続機構としてのＦ／Ｒケーブル５６が設けられており、Ｆ／Ｒケーブル５６は、中央ケース５０の裏壁及び中央ボデー２４の表壁を介してＦ／Ｒダイヤルノブ３２に連結されると共に、空気調節装置１２の制御部に接続されている。Ｆ／Ｒケーブル５６は、Ｆ／Ｒダイヤルノブ３２が回転操作されることで、操作可能にされており、中央ボデー２４の表壁及び中央ケース５０の裏壁は、Ｆ／Ｒダイヤルノブ３２の回転操作によるＦ／Ｒケーブル５６の操作を許可している。なお、Ｆ／Ｒケーブル５６は、Ｆ／Ｒダイヤルノブ３２の回転操作に節度感を付与する。
【００３３】
図４に詳細に示す如く、中央ケース５０の裏壁には、右側部分及び左側部分において、支持手段を構成する略円筒状の支持軸５８が一体に設けられており、支持軸５８は、中央ボデー２４から裏側に突出されている。
【００３４】
支持軸５８内には、電気的機能部を構成する照明手段としてのランプ６０が取り付けられており、ランプ６０は、中央ケース５０内に挿入されると共に、中央ケース５０内にインサート成形されたターミナルと電気的に接続されている。ランプ６０は、中央ケース５０内及び中央ボデー２４内を照明可能にされており、ランプ６０の光によって、中央表示パネル３６の送風量表示３８及び方法表示４０と、ブロアノブ２８、Ｆ／Ｒダイヤルノブ３２、Ａ／Ｃスイッチ４２及びリヤデフスイッチ４４の導光路３０と、を照明可能にされている。
【００３５】
中央ケース５０の周壁には、右側部分及び左側部分において、長尺の連通孔６２が貫通形成されており、連通孔６２は、中央ケース５０内を開放している。連通孔６２の裏側部分には、光量調整手段としての湾曲板状の閉鎖板６２Ａが設けられており、閉鎖板６２Ａは、先端（表側端）が湾曲凸状にされて、連通孔６２を部分的に閉塞している。すなわち、閉鎖板６２Ａは、連通孔６２の上端及び下端を閉鎖しておらず、連通孔６２の上端及び下端から上下方向中央へ向かうに従い連通孔６２の閉鎖量を徐々に大きくされている。
【００３６】
クラスタパネル１４の右側孔１８内には、操作ユニットとしてのＡ／Ｍコントローラ６４が設置されると共に、クラスタパネル１４の左側孔２０内には、操作ユニットとしてのモードコントローラ６６が設置されている。
【００３７】
Ａ／Ｍコントローラ６４の裏側部分には、裏側部としての略屈曲筒状の右ケース６８（サブケース、リフレクタ）が設けられると共に、モードコントローラ６６の裏側部分には、裏側部としての略屈曲筒状の左ケース７０（サブケース、リフレクタ）が設けられている。右ケース６８及び左ケース７０のメインコントローラ２２側部分には、支持手段を構成する略三角形板状の支持板７２が一体に設けられている。
【００３８】
支持板７２の先端部（メインコントローラ２２側部分）には、楕円筒状の支持部７４が設けられており、支持部７４内には、中央ケース５０の支持軸５８が挿入されている。支持部７４は、中央ケース５０の裏壁に固定されており、これにより、右ケース６８及び左ケース７０が中央ケース５０に設置（固定）されている。また、支持部７４は支持軸５８に対し回動可能かつスライド可能にされており、右ケース６８及び左ケース７０は中央ケース５０に対し回動可能かつスライド可能にされている。これにより、支持部７４が支持軸５８に対し回動かつスライドされて、右ケース６８及び左ケース７０が中央ケース５０に対し回動かつスライドされることで、右ケース６８及び左ケース７０の設置位置を中央ケース５０の周方向に沿って変更可能にされている（図５参照）。
【００３９】
右ケース６８及び左ケース７０の一側部分７６（中央ケース５０側部分）は、略矩形筒状にされており、一側部分７６内は、中央ケース５０内に連通孔６２を介して連通されている。これにより、上記ランプ６０が、中央ケース５０内及び連通孔６２を介して、右ケース６８内及び左ケース７０内を照明可能にされている。
【００４０】
また、上述の如く、右ケース６８及び左ケース７０が中央ケース５０に対し回動かつスライドされて、右ケース６８及び左ケース７０の設置位置が中央ケース５０の周方向に沿って変更された際でも、右ケース６８及び左ケース７０の一側部分７６内が、中央ケース５０内に連通孔６２を介して連通される。これにより、ランプ６０が、中央ケース５０内及び連通孔６２を介して、右ケース６８内及び左ケース７０内を照明可能にされている。
【００４１】
右ケース６８及び左ケース７０の他側部分７８（中央ケース５０とは反対側部分）は、略有底円筒状にされており、右ケース６８及び左ケース７０の一側部分７６内と他側部分７８内とは連通されると共に、他側部分７８は一側部分７６に対し表側へ延伸されている。他側部分７８内の裏側面には、反射面８０（図４参照）が形成されており、反射面８０は、銀色又は白色のシート又はメッキによって構成されるか、又は、鏡面にされている。反射面８０は、ランプ６０の光源を焦点とした断面放物線状（滑らかな放物面状）にされており、ランプ６０から反射面８０へ到来した光は、反射面８０によって、他側部分７８の軸方向と平行に反射されることで、他側部分７８内に、軸方向の垂直面において均等に、光が到来する。
【００４２】
右ケース６８及び左ケース７０の表側には、それぞれ操作部を構成する略有底円筒状の右ボデー８２（サブボデー）及び左ボデー８４（サブボデー）が設けられており、右ボデー８２及び左ボデー８４の裏側面は、開放されている。右ボデー８２内及び左ボデー８４内には、それぞれ裏側から右ケース６８及び左ケース７０の他側部分７８が嵌入されており、右ボデー８２及び左ボデー８４は、それぞれ右ケース６８及び左ケース７０の他側部分７８に固定されている。
【００４３】
また、右ボデー８２及び左ボデー８４は、それぞれ右ケース６８及び左ケース７０に対し、維持手段として回転可能にされると共に、スライド可能にされている。これにより、右ボデー８２及び左ボデー８４がそれぞれ右ケース６８及び左ケース７０に対し回転されることで、右ボデー８２及び左ボデー８４の右ケース６８及び左ケース７０に対する姿勢（周方向配置）を変更可能にされると共に、右ボデー８２及び左ボデー８４がそれぞれ右ケース６８及び左ケース７０に対しスライドされることで、右ボデー８２及び左ボデー８４の右ケース６８及び左ケース７０に対する表側への突出量を変更可能にされている。
【００４４】
右ボデー８２の表側部分には、外周において、操作部を構成する操作部材としての外掴みダイヤル式（円筒状）のＡ／Ｍダイヤルノブ８６（Ａ／Ｍノブ）が回転可能に支持されており、Ａ／Ｍダイヤルノブ８６が回転操作されることで、空気調節装置１２が空気調節機能をＯＮにされた際に車室へ送風する空気の温度が調整される。Ａ／Ｍダイヤルノブ８６の周壁内には、上記と同様の導光路３０が設けられており、導光路３０の表側面は車室に露出されると共に、導光路３０の裏側は右ボデー８２内に連通されている。また、Ａ／Ｍダイヤルノブ８６の裏側端には、全周において、操作ギヤ８８が一体に設けられている。
【００４５】
右ボデー８２の表側には、操作部を構成する表示部材としての円板状の温度表示パネル９０（サブ表示パネル）が組み付けられており、温度表示パネル９０は、Ａ／Ｍダイヤルノブ８６内に配置されると共に、表面が車室に露出されている。温度表示パネル９０には、Ａ／Ｍダイヤルノブ８６の導光路３０の表側面に対応して、空気調節装置１２が車室へ送風する空気の温度を表示する温度表示９２が設けられており、温度表示パネル９０は、温度表示９２部分において、透光性を有すると共に、裏面が右ボデー８２内に連通されている。
【００４６】
右ボデー８２の周壁には、操作部を構成する接続機構としてのＡ／Ｍケーブル９４が設けられており、Ａ／Ｍケーブル９４には、プーリ９６が回転可能に設けられている。プーリ９６の外周には、全周において、受動ギヤ９８が一体に設けられており、受動ギヤ９８は、Ａ／Ｍダイヤルノブ８６の操作ギヤ８８に噛合されている。Ａ／Ｍケーブル９４は、Ａ／Ｍダイヤルノブ８６が回転操作されてプーリ９６が回転されることで、操作可能にされており、Ａ／Ｍケーブル９４は、空気調節装置１２の制御部に接続されている。なお、Ａ／Ｍケーブル９４は、Ａ／Ｍダイヤルノブ８６の回転操作に節度感を付与しない。
【００４７】
左ボデー８４の表側部分には、外周において、操作部を構成する操作部材としての外掴みダイヤル式（円筒状）のモードダイヤルノブ１００（モードノブ）が回転可能に支持されており、モードダイヤルノブ１００が回転操作されることで、空気調節装置１２が車室へ空気を送風するモード（乗員の上半身へ空気を送風するモードか、乗員の上半身及び足元へ空気を送風するモードか、乗員の足元へ空気を送風するモードか、乗員の足元及び車両のフロントウインドウの車室側の面へ空気を送風するモードか、又は、車両のフロントウインドウの車室側の面へ空気を送風するモードか）が切り換えられる。モードダイヤルノブ１００の周壁内には、上記と同様の導光路３０が設けられており、導光路３０の表側面は車室に露出されると共に、導光路３０の裏側は左ボデー８４内に連通されている。また、モードダイヤルノブ１００の裏側端には、全周において、上記と同様の操作ギヤ８８が一体に設けられている。
【００４８】
左ボデー８４の表側には、操作部を構成する表示部材としての円環板状のモード表示パネル１０２が設けられており、モード表示パネル１０２は、モードダイヤルノブ１００内に配置されると共に、表面が車室に露出されている。モード表示パネル１０２には、モードダイヤルノブ１００の導光路３０の表側面に対応して、空気調節装置１２が車室へ送風する空気のモードを表示するモード表示１０４が設けられており、モード表示パネル１０２は、モード表示１０４部分において、透光性を有すると共に、裏面が左ボデー８４内に連通されている。
【００４９】
左ボデー８４の周壁には、操作部を構成する接続機構としてのモードケーブル１０６が設けられており、モードケーブル１０６には、上記と同様のプーリ９６が回転可能に設けられている。プーリ９６の外周には、全周において、上記と同様の受動ギヤ９８が一体に設けられており、受動ギヤ９８は、モードダイヤルノブ１００の操作ギヤ８８に噛合されている。モードケーブル１０６は、モードダイヤルノブ１００が回転操作されてプーリ９６が回転されることで、操作可能にされており、モードケーブル１０６は、空気調節装置１２の制御部に接続されている。なお、モードケーブル１０６は、モードダイヤルノブ１００の回転操作に節度感を付与しない。
【００５０】
上述の如く、ランプ６０が、中央ケース５０内及び連通孔６２を介して、右ケース６８内及び左ケース７０内を照明可能にされており、ランプ６０の光によって、右ケース６８内から右ボデー８２内を介して温度表示パネル９０の温度表示９２及びＡ／Ｍダイヤルノブ８６の導光路３０を照明可能にされると共に、左ケース７０内から左ボデー８４内を介してモード表示パネル１０２のモード表示１０４及びモードダイヤルノブ１００の導光路３０を照明可能にされている。
【００５１】
また、上述の如く、右ケース６８及び左ケース７０が中央ケース５０に対し回動かつスライドされて、右ケース６８及び左ケース７０の設置位置が中央ケース５０の周方向に沿って変更された際でも、右ケース６８及び左ケース７０の一側部分７６内が、中央ケース５０内に連通孔６２を介して連通されて、ランプ６０が、中央ケース５０内及び連通孔６２を介して、右ケース６８内及び左ケース７０内を照明可能にされている。これにより、依然として、ランプ６０の光によって、温度表示パネル９０の温度表示９２、モード表示パネル１０２のモード表示１０４、Ａ／Ｍダイヤルノブ８６及びモードダイヤルノブ１００の導光路３０を照明可能にされている。
【００５２】
さらに、右ケース６８及び左ケース７０が中央ケース５０に対し回動かつスライドされて、右ケース６８及び左ケース７０の設置位置が中央ケース５０の周方向に沿って変更される際には、右ケース６８及び左ケース７０の設置位置が上端及び下端から上下方向中央へ向かうに従い、右ケース６８及び左ケース７０の他側部分７８がランプ６０に接近する（図５参照）。また、連通孔６２の閉鎖板６２Ａによる閉鎖量は、連通孔６２の上端及び下端において最小（０）にされると共に、連通孔６２の上端及び下端から上下方向中央へ向かうに従い徐々に大きくされている。これにより、右ケース６８及び左ケース７０の設置位置に拘らず、ランプ６０から中央ケース５０内及び連通孔６２を介して右ケース６８内及び左ケース７０内へ導入される光量が一定にされる。このため、右ケース６８及び左ケース７０の設置位置に拘らず、温度表示パネル９０の温度表示９２、モード表示パネル１０２のモード表示１０４、Ａ／Ｍダイヤルノブ８６及びモードダイヤルノブ１００の導光路３０に対する照明光量が一定にされる。
【００５３】
右ボデー８２及び左ボデー８４には、それぞれ維持手段の案内手段を構成する三角形板状の案内脚１０８が一対一体に設けられている。一方の案内脚１０８は、右ボデー８２及び左ボデー８４から中央ボデー２４側かつ下側へ突出されると共に、他方の案内脚１０８は、右ボデー８２及び左ボデー８４から中央ボデー２４側かつ上側へ突出されている。下側（一方）の案内脚１０８は、表側に配置されると共に、上側（他方）の案内脚１０８は、裏側に配置されている。案内脚１０８には、円柱状の案内柱１１０が一対一体に設けられており、案内柱１１０は、案内脚１０８から裏側へ突出されている。
【００５４】
図５に示す如く、右ボデー８２の上側の案内脚１０８における一対の案内柱１１０は、上記下側の案内板４６の右側における一対の案内溝４８の一端（上側端）に挿入されており、当該一対の案内柱１１０が当該一対の案内溝４８に沿って（案内されて）下側へ移動されることで、右ボデー８２の姿勢（周方向配置）が維持されつつ、右ボデー８２の設置位置が中央ボデー２４の周方向に沿って下側へ変更可能にされている。
【００５５】
右ボデー８２の下側の案内脚１０８における一対の案内柱１１０は、上記上側の案内板４６の右側における一対の案内溝４８の一端（下側端）に挿入されており、当該一対の案内柱１１０が当該一対の案内溝４８に沿って（案内されて）上側へ移動されることで、右ボデー８２の姿勢（周方向配置）が維持されつつ、右ボデー８２の設置位置が中央ボデー２４の周方向に沿って上側へ変更可能にされている。
【００５６】
左ボデー８４の上側の案内脚１０８における一対の案内柱１１０は、上記下側の案内板４６の左側における一対の案内溝４８の一端（上側端）に挿入されており、当該一対の案内柱１１０が当該一対の案内溝４８に沿って（案内されて）下側へ移動されることで、左ボデー８４の姿勢（周方向配置）が維持されつつ、左ボデー８４の設置位置が中央ボデー２４の周方向に沿って下側へ変更可能にされている。
【００５７】
左ボデー８４の下側の案内脚１０８における一対の案内柱１１０は、上記上側の案内板４６の左側における一対の案内溝４８の一端（下側端）に挿入されており、当該一対の案内柱１１０が当該一対の案内溝４８に沿って（案内されて）上側へ移動されることで、左ボデー８４の姿勢（周方向配置）が維持されつつ、左ボデー８４の設置位置が中央ボデー２４の周方向に沿って上側へ変更可能にされている。
【００５８】
次に、本実施の形態の作用を説明する。
【００５９】
以上の構成のヒータコントロール装置１０では、クラスタパネル１４において、メインコントローラ２２（中央操作部２６のブロアノブ２８、Ｆ／Ｒダイヤルノブ３２、Ａ／Ｃスイッチ４２、リヤデフスイッチ４４及び中央表示パネル３６）の右方（真横）にＡ／Ｍコントローラ６４（Ａ／Ｍダイヤルノブ８６及び温度表示パネル９０）が設置されると共に、メインコントローラ２２の左方（真横）にモードコントローラ６６（モードダイヤルノブ１００及びモード表示パネル１０２）が設置されている。
【００６０】
また、メインコントローラ２２では、中央操作部２６の裏側に中央ボデー２４が設けられており、中央ボデー２４の裏側に中央ケース５０が設けられている。
【００６１】
さらに、Ａ／Ｍコントローラ６４では、Ａ／Ｍダイヤルノブ８６及び温度表示パネル９０が右ボデー８２に設けられると共に、右ボデー８２の裏側に右ケース６８が設けられており、右ケース６８は、中央ケース５０の右方（真横）に取り付けられている。
【００６２】
一方、モードコントローラ６６では、モードダイヤルノブ１００及びモード表示パネル１０２が左ボデー８４に設けられると共に、左ボデー８４の裏側に左ケース７０が設けられており、左ケース７０は、中央ケース５０の左方（真横）に取り付けられている。
【００６３】
また、クラスタパネル１４の意匠（外形等）が変更された場合等に、Ａ／Ｍコントローラ６４（Ａ／Ｍダイヤルノブ８６及び温度表示パネル９０）やモードコントローラ６６（モードダイヤルノブ１００及びモード表示パネル１０２）の表側への突出量が変更される際には、右ボデー８２や左ボデー８４が右ケース６８や左ケース７０に対しスライドされて、右ボデー８２や左ボデー８４の右ケース６８や左ケース７０に対する表側への突出量が変更される。これにより、Ａ／Ｍコントローラ６４やモードコントローラ６６の表側への突出量を変更できる。
【００６４】
さらに、クラスタパネル１４の意匠（外形等）が変更された場合に、右側孔１８や左側孔２０の配置が中央孔１６の周方向に沿って変更されて、Ａ／Ｍコントローラ６４（Ａ／Ｍダイヤルノブ８６及び温度表示パネル９０）やモードコントローラ６６（モードダイヤルノブ１００及びモード表示パネル１０２）の設置位置がメインコントローラ２２の周方向に沿って変更される際には、右ケース６８や左ケース７０が中央ケース５０に対し回動かつスライドされて、右ケース６８や左ケース７０の設置位置が中央ケース５０の周方向に沿って変更される。これにより、Ａ／Ｍコントローラ６４やモードコントローラ６６の設置位置をメインコントローラ２２の周方向に沿って変更できる。
【００６５】
また、Ａ／Ｍコントローラ６４やモードコントローラ６６の設置位置がメインコントローラ２２の周方向に沿って変更された際には、右ケース６８や左ケース７０の姿勢（周方向配置）が変更される。
【００６６】
ここで、右ボデー８２及び左ボデー８４が右ケース６８及び左ケース７０に対し回転可能にされている。このため、Ａ／Ｍコントローラ６４やモードコントローラ６６の設置位置がメインコントローラ２２の周方向に沿って変更されて、右ケース６８や左ケース７０の姿勢（周方向配置）が変更されても、右ボデー８２や左ボデー８４が右ケース６８や左ケース７０に対し回転されることで、右ボデー８２や左ボデー８４の姿勢（周方向配置）を維持できる。これにより、Ａ／Ｍダイヤルノブ８６及び温度表示パネル９０やモードダイヤルノブ１００及びモード表示パネル１０２の姿勢（周方向配置）を維持できる。したがって、Ａ／Ｍダイヤルノブ８６やモードダイヤルノブ１００の操作を適正にできると共に、温度表示パネル９０やモード表示パネル１０２の意匠を適正にできる。
【００６７】
さらに、Ａ／Ｍコントローラ６４やモードコントローラ６６の設置位置がメインコントローラ２２の周方向に沿って変更される際には、右ボデー８２や左ボデー８４の案内脚１０８における一対の案内柱１１０が中央ボデー２４の案内板４６における一対の案内溝４８に案内されることで、右ボデー８２や左ボデー８４の姿勢（周方向配置）が維持されつつ、Ａ／Ｍコントローラ６４やモードコントローラ６６の位置がメインコントローラ２２の周方向に沿って変更される。このため、Ａ／Ｍダイヤルノブ８６及び温度表示パネル９０やモードダイヤルノブ１００及びモード表示パネル１０２の姿勢（周方向配置）を容易に維持できると共に、Ａ／Ｍコントローラ６４やモードコントローラ６６の設置位置をメインコントローラ２２の周方向に沿って容易に変更できる。
【００６８】
また、上述の如く、Ａ／Ｍコントローラ６４及びモードコントローラ６６の設置位置がメインコントローラ２２の周方向に沿って変更される。このため、Ａ／Ｍコントローラ６４及びモードコントローラ６６とメインコントローラ２２との距離を一定にでき、ヒータコントロール装置１０の意匠を適切にできる。
【００６９】
さらに、上述の如く、右ボデー８２及び左ボデー８４を右ケース６８及び左ケース７０に対し回転させると共に、案内脚１０８の一対の案内柱１１０を案内板４６の一対の案内溝４８に案内させるのみで、Ａ／Ｍダイヤルノブ８６及び温度表示パネル９０とモードダイヤルノブ１００及びモード表示パネル１０２との姿勢を維持できると共に、Ａ／Ｍコントローラ６４及びモードコントローラ６６の設置位置をメインコントローラ２２の周方向に沿って変更できる。このため、構成を簡単にでき、コストを低減できる。
【００７０】
［第２の実施の形態］
図６には、本発明の操作装置が適用されて構成された第２の実施の形態に係るヒータコントロール装置２００が右斜め表側から見た分解斜視図にて示されており、図７には、ヒータコントロール装置２００の主要部が右斜め表側から見た斜視図にて示されている。
【００７１】
本実施の形態に係るヒータコントロール装置２００は、上記第１の実施の形態と、ほぼ同様の構成であるが、以下の点で異なる。
【００７２】
本実施の形態に係るヒータコントロール装置２００では、メインコントローラ２２において、上記第１の実施の形態における印刷回路基板５２が設けられておらず、電気回路５４は、中央ケース５０の底壁におけるインサート成形品（インシュレータ）にされている。
【００７３】
中央ボデー２４には、上記第１の実施の形態における案内板４６が設けられていない。
【００７４】
中央ケース５０には、上記第１の実施の形態における支持軸５８が設けられていない。ランプ６０は、中央ケース５０の裏壁に取り付けられており、ランプ６０は、支持手段を構成している。
【００７５】
中央ケース５０の裏壁には、一対のランプ６０の右側及び左側において、維持手段の案内手段を構成する案内溝２０２が貫通形成されている。案内溝２０２の上側部分及び下側部分は、中央ケース５０の外周側へ突出される方向に湾曲されている。
【００７６】
連通孔６２は、中央ボデー２４及び中央ケース５０に貫通形成されており、連通孔６２は、中央ボデー２４内及び中央ケース５０内を開放している。また、連通孔６２には、上記第１の実施の形態における閉鎖板６２Ａが設けられていない。
【００７７】
Ａ／Ｍコントローラ６４及びモードコントローラ６６では、右ケース６８及び左ケース７０に、上記第１の実施の形態における支持板７２（支持部７４を含む）が設けられていない。
【００７８】
右ケース６８及び左ケース７０の一側部分７６（中央ケース５０側部分）は、略有底円筒状にされており、一側部分７６内は、表側に開放されている。一側部分７６は、中央ケース５０内に収容されており、一側部分７６の裏壁（底壁）には、支持手段を構成する長尺の支持孔２０４が貫通形成されている。支持孔２０４には、ランプ６０が挿入されており、これにより、ランプ６０が、一側部分７６内に突出されて、右ケース６８内、左ケース７０内及び中央ケース５０内を照明可能にされている。
【００７９】
右ケース６８及び左ケース７０の一側部分７６は、中央ケース５０の裏壁に固定されており、これにより、中央ケース５０に右ケース６８及び左ケース７０が設置（固定）されている。
【００８０】
また、一側部分７６の支持孔２０４はランプ６０に対し回動可能かつスライド可能にされており、右ケース６８及び左ケース７０は中央ケース５０に対し回動可能かつスライド可能にされている。これにより、支持孔２０４がランプ６０に対し回動かつスライドされて、右ケース６８及び左ケース７０が中央ケース５０に対し回動かつスライドされることで、右ケース６８及び左ケース７０の設置位置を中央ケース５０の周方向に沿って変更可能にされている（図８参照）。
【００８１】
右ケース６８及び左ケース７０の一側部分７６と他側部分７８（中央ケース５０とは反対側部分）との間の部分は、矩形筒状の連通筒２１４にされて、中央ボデー２４及び中央ケース５０の連通孔６２内に配置されており、これにより、右ケース６８及び左ケース７０の中央ケース５０に対する回動が許可されている。
【００８２】
連通筒２１４内には、光量調整手段としての閉鎖板（図示省略）が設けられており、閉鎖板は、連通筒２１４内を閉鎖可能にされると共に、移動されることで連通筒２１４内の閉鎖量を調整可能にされている。
【００８３】
右ケース６８及び左ケース７０の一側部分７６には、維持手段の案内手段を構成する円柱状の案内柱２０６が一体に設けられており、案内柱２０６は、一側部分７６から裏側へ突出されている。案内柱２０６は、中央ケース５０の案内溝２０２に挿入されており、案内柱２０６が案内溝２０２に沿って（案内されて）移動されることで、右ケース６８及び左ケース７０の設置位置が中央ケース５０の周方向に沿って変更可能にされている（図８参照）。
【００８４】
右ケース６８及び左ケース７０の設置位置が中央ケース５０の周方向に沿って変更される際には、右ケース６８及び左ケース７０の設置位置が上端及び下端から上下方向中央へ向かうに従い、右ケース６８及び左ケース７０の他側部分７８がランプ６０に接近する（図８参照）。また、連通筒２１４内の閉鎖板による閉鎖量は、右ケース６８及び左ケース７０の設置位置が上端及び下端である際に最小（例えば０）にされると共に、右ケース６８及び左ケース７０の設置位置が上下方向中央へ向かうに従い徐々に大きくされる。これにより、右ケース６８及び左ケース７０の設置位置に拘らず、ランプ６０から右ケース６８及び左ケース７０の一側部分７６内及び連通筒２１４内を介して他側部分７８内へ導入される光量が一定にされる。このため、右ケース６８及び左ケース７０の設置位置に拘らず、温度表示パネル９０の温度表示９２、モード表示パネル１０２のモード表示１０４、Ａ／Ｍダイヤルノブ８６及びモードダイヤルノブ１００の導光路３０に対する照明光量が一定にされる。
【００８５】
右ケース６８及び左ケース７０の他側部分７８には、周壁において、維持手段の回転手段を構成する長尺の回転孔２０８が所定数（本実施の形態では２個）貫通形成されており、回転孔２０８は、他側部分７８の周方向に沿って延伸されている。
【００８６】
右ボデー８２及び左ボデー８４は、それぞれ裏側から右ケース６８及び左ケース７０の他側部分７８内に嵌入されており、右ボデー８２及び左ボデー８４は、それぞれ右ケース６８及び左ケース７０の他側部分７８に固定されている。
【００８７】
右ボデー８２及び左ボデー８４の周壁には、維持手段の回転手段を構成する円柱状の回転突起２１０が所定数（本実施の形態では２個）一体に設けられており、回転突起２１０は、右ボデー８２及び左ボデー８４の径方向外側へ突出されると共に、右ボデー８２及び左ボデー８４の径方向へ弾性移動可能にされている。右ボデー８２及び左ボデー８４の回転突起２１０は、それぞれ、一時的に弾性移動されて、右ケース６８及び左ケース７０の回転孔２０８に挿入されており、回転突起２１０が回転孔２０８に沿って（案内されて）スライドされることで、右ボデー８２及び左ボデー８４がそれぞれ右ケース６８及び左ケース７０に対し回転されて、右ボデー８２及び左ボデー８４の右ケース６８及び左ケース７０に対する姿勢（周方向配置）を変更可能にされている。
【００８８】
これにより、右ケース６８及び左ケース７０の設置位置が中央ケース５０の周方向に沿って変更されて、右ケース６８及び左ケース７０の姿勢（周方向配置）が変更された際でも、右ボデー８２及び左ボデー８４がそれぞれ右ケース６８及び左ケース７０に対し回転されることで、右ボデー８２及び左ボデー８４の姿勢（周方向配置）を維持可能にされている。
【００８９】
ここで、本実施の形態でも、右ボデー８２及び左ボデー８４が右ケース６８及び左ケース７０に対しスライド可能にされたことによる作用及び効果を除き、上記第１の実施の形態と同様の作用及び効果を奏することができる。
【００９０】
（変形例）
上記第２の実施の形態では、右ボデー８２及び左ボデー８４を右ケース６８及び左ケース７０の他側部分７８内に嵌入した構成としたが、図９に示す如く、右ボデー８２及び左ボデー８４内に右ケース６８及び左ケース７０の他側部分７８を嵌入した構成としてもよい。
【００９１】
この場合、右ケース６８及び左ケース７０の径方向内側へ回転突起２１０が突出されており、右ボデー８２及び左ボデー８４の回転突起２１０は、それぞれ、一時的に弾性移動されて、右ケース６８及び左ケース７０の回転孔２０８に挿入されている。これにより、右ボデー８２及び左ボデー８４がそれぞれ右ケース６８及び左ケース７０に対し回転可能にされている。
【００９２】
右ボデー８２及び左ボデー８４の周壁には、維持手段の回転手段を構成する矩形状の挿入孔２１２が貫通形成されており、挿入孔２１２は、裏側へ開放されると共に、右ボデー８２及び左ボデー８４の周方向へ延伸されている。挿入孔２１２には、右ケース６８及び左ケース７０の連通筒２１４が挿入されており、これにより、右ボデー８２及び左ボデー８４の右ケース６８及び左ケース７０に対する回転が許可されている。
【００９３】
［第３の実施の形態］
図１０には、本発明の操作装置が適用されて構成された第３の実施の形態に係るヒータコントロール装置３００の主要部が表側から見た正面図にて示されており、図１１には、ヒータコントロール装置３００の主要部が右斜め表側から見た分解斜視図にて示されている。さらに、図１２には、ヒータコントロール装置３００の主要部が右側から見た断面図（図１０の１２−１２線断面図）にて示されており、図１３には、ヒータコントロール装置３００の主要部が表側から見た断面図（図１２の１３−１３線断面図）にて示されている。
【００９４】
本実施の形態に係るヒータコントロール装置３００は、上記第２の実施の形態と、ほぼ同様の構成であるが、以下の点で異なる。
【００９５】
本実施の形態に係るヒータコントロール装置３００では、Ａ／Ｍコントローラ６４及びモードコントローラ６６において、右ケース６８及び左ケース７０の他側部分７８（中央ケース５０とは反対側部分）に、維持手段の回転手段を構成する矩形状の回転孔３０２が複数貫通形成されており、複数の回転孔３０２は、他側部分７８の周方向及び軸方向に沿って間隔をあけて並べられている。他側部分７８の内周面には、断面矩形状のスライド溝３０４が複数（本実施の形態では６個）形成されており、スライド溝３０４は、他側部分７８の軸方向に沿って延伸されて、複数（本実施の形態では３個）の回転孔３０２に連通されると共に、他側部分７８の表側へ開放されている。
【００９６】
右ボデー８２及び左ボデー８４の周壁には、維持手段の回転手段を構成する屈曲板状の回転突起３０６が複数（本実施の形態では２個）一体に設けられており、回転突起３０６は、右ボデー８２及び左ボデー８４の径方向外側へ突出されると共に、右ボデー８２及び左ボデー８４の径方向へ弾性移動可能にされている。右ボデー８２及び左ボデー８４の回転突起３０６は、それぞれ、一時的に弾性移動されて、右ケース６８及び左ケース７０の他側部分７８におけるスライド溝３０４及び回転孔３０２に挿入されている。
【００９７】
回転突起３０６がスライド溝３０４に沿ってスライドされて、回転突起３０６が挿入される回転孔３０２が他側部分７８の軸方向において変更されることで、右ボデー８２及び左ボデー８４の右ケース６８及び左ケース７０に対する表側への突出量を変更可能にされている。
【００９８】
さらに、回転突起３０６が挿入されるスライド溝３０４及び回転孔３０２が他側部分７８の周方向において変更されることで、右ボデー８２及び左ボデー８４がそれぞれ右ケース６８及び左ケース７０に対し回転されて、右ボデー８２及び左ボデー８４の右ケース６８及び左ケース７０に対する姿勢（周方向配置）を変更可能にされている。
【００９９】
これにより、右ケース６８及び左ケース７０の設置位置が中央ケース５０の周方向に沿って変更されて、右ケース６８及び左ケース７０の姿勢（周方向配置）が変更された際でも、右ボデー８２及び左ボデー８４がそれぞれ右ケース６８及び左ケース７０に対し回転されることで、右ボデー８２及び左ボデー８４の姿勢（周方向配置）を維持可能にされている。
【０１００】
ここで、本実施の形態でも、上記第１の実施の形態と同様の作用及び効果を奏することができる。
【０１０１】
［第４の実施の形態］
図１４には、本発明の操作装置が適用されて構成された第４の実施の形態に係るヒータコントロール装置４００の主要部が表側から見た断面図（図１６の１４−１４線断面図）にて示されており、図１５には、ヒータコントロール装置４００の主要部が右斜め表側から見た破断斜視図にて示されている。さらに、図１６には、ヒータコントロール装置４００の主要部が右側から見た断面図（図１４の１６−１６線断面図）にて示されている。
【０１０２】
本実施の形態に係るヒータコントロール装置４００は、上記第２の実施の形態と、ほぼ同様の構成であるが、以下の点で異なる。
【０１０３】
本実施の形態に係るヒータコントロール装置４００では、メインコントローラ２２において、中央ケース５０に、上記第２の実施の形態における案内溝２０２が設けられていない。
【０１０４】
図１４及び図１５に示す如く、中央ケース５０の裏壁には、右側部分及び左側部分において、支持手段を構成する略半球形容器状の支持枠４０２が一体に設けられており、支持枠４０２は、中央ケース５０から表側に突出されると共に、ランプ６０より中央ケース５０中心側に配置されている。
【０１０５】
Ａ／Ｍコントローラ６４及びモードコントローラ６６では、右ケース６８及び左ケース７０に、上記第２の実施の形態における支持孔２０４及び案内柱２０６が設けられていない。
【０１０６】
右ケース６８及び左ケース７０の一側部分７６（中央ケース５０側部分）には、支持手段を構成する略半球状の支持球４０４が一体に設けられており、支持球４０４は、略矩形柱状の肉抜部４０６が形成されて、弾性変形可能にされている。支持球４０４は、中央ケース５０の支持枠４０２内に回転可能に嵌合（所謂ボールジョイント嵌合）されており、右ケース６８及び左ケース７０が中央ケース５０に固定されることで、Ａ／Ｍコントローラ６４及びモードコントローラ６６がメインコントローラ２２に対し設置（固定）されている。
【０１０７】
また、支持球４０４が支持枠４０２に対し回転されることで、右ケース６８及び左ケース７０が中央ケース５０に対し回動可能にされており、これにより、Ａ／Ｍコントローラ６４及びモードコントローラ６６の設置位置がメインコントローラ２２の周方向において変更可能にされている。
【０１０８】
右ケース６８及び左ケース７０の一側部分７６の裏壁（底壁）には、長尺の許可孔４０８が貫通形成されており、許可孔４０８にランプ６０が挿入されることで、ランプ６０が一側部分７６内に突出されている。許可孔４０８は、長手方向に沿って湾曲されており、これにより、許可孔４０８に対しランプ６０がスライドされることで、右ケース６８及び左ケース７０の中央ケース５０に対する回動が許可されている。
【０１０９】
図１４及び図１６に示す如く、右ケース６８及び左ケース７０の他側部分７８（中央ケース５０とは反対側部分）は、それぞれ右ボデー８２内及び左ボデー８４内に裏側から嵌入されており、右ボデー８２及び左ボデー８４は、それぞれ右ケース６８及び左ケース７０の他側部分７８に固定されている。
【０１１０】
右ボデー８２及び左ボデー８４の周壁における回転突起２１０は、右ボデー８２及び左ボデー８４の径方向内側へ突出されており、右ボデー８２及び左ボデー８４の回転突起２１０は、それぞれ、右ケース６８及び左ケース７０の回転孔２０８に挿入されている。
【０１１１】
右ボデー８２及び左ボデー８４の周壁には、上記と同様の挿入孔２１２が貫通形成されており、挿入孔２１２は、裏側へ開放されると共に、右ボデー８２及び左ボデー８４の周方向へ延伸されている。挿入孔２１２には、右ケース６８及び左ケース７０の連通筒２１４が挿入されており、これにより、右ボデー８２及び左ボデー８４の右ケース６８及び左ケース７０に対する回転が許可されている。
【０１１２】
Ａ／Ｍダイヤルノブ８６及びモードダイヤルノブ１００には、上記第２の実施の形態における操作ギヤ８８が設けられていない。さらに、Ａ／Ｍケーブル９４及びモードケーブル１０６には、上記第２の実施の形態におけるプーリ９６が設けられていない。
【０１１３】
Ａ／Ｍケーブル９４及びモードケーブル１０６は、右ボデー８２及び左ボデー８４の裏壁に設けられている。
【０１１４】
右ボデー８２内及び左ボデー８４内には、略Ｌ字形棒状のレバー４１０が設けられており、レバー４１０の一端側部分は、右ケース６８内及び左ケース７０内に挿入されている。ここでいうレバー４１０は、光の透過が可能な透明部材であってもよい。レバー４１０の一端は、右ケース６８及び左ケース７０の裏壁を貫通されて、Ａ／Ｍケーブル９４及びモードケーブル１０６に連結されており、レバー４１０の他端は、Ａ／Ｍダイヤルノブ８６及びモードダイヤルノブ１００に連結されている。これにより、Ａ／Ｍダイヤルノブ８６及びモードダイヤルノブ１００が回転操作されることで、レバー４１０が一端を中心として回動されて、Ａ／Ｍケーブル９４及びモードケーブル１０６が操作可能にされている。
【０１１５】
ここで、本実施の形態でも、Ａ／Ｍコントローラ６４及びモードコントローラ６６の設置位置がメインコントローラ２２の周方向に沿って変更可能にされたことによる作用及び効果を除き、上記第２の実施の形態と同様の作用及び効果を奏することができる。
【０１１６】
［第５の実施の形態］
図１７には、本発明の操作装置が適用されて構成された第５の実施の形態に係るヒータコントロール装置５００の主要部が上側から見た断面図にて示されており、図１８には、ヒータコントロール装置５００の主要部が右斜め表側から見た破断斜視図にて示されている。
【０１１７】
本実施の形態に係るヒータコントロール装置５００は、上記第４の実施の形態と、ほぼ同様の構成であるが、以下の点で異なる。
【０１１８】
本実施の形態に係るヒータコントロール装置５００では、Ａ／Ｍコントローラ６４及びモードコントローラ６６において、上記第４の実施の形態における回転孔２０８及び回転突起２１０が設けられていない。
【０１１９】
右ボデー８２及び左ボデー８４の周壁における挿入孔２１２は、裏側へ開放されていない。右ケース６８及び左ケース７０の他側部分７８（中央ケース５０とは反対側部分）は、それぞれ挿入孔２１２を介して右ボデー８２内及び左ボデー８４内に挿入されており、右ボデー８２及び左ボデー８４は、それぞれ右ケース６８及び左ケース７０の他側部分７８に固定されている。
【０１２０】
右ケース６８及び左ケース７０の他側部分７８には、表側面において、半楕円状の透過孔５０２が形成されており、ランプ６０から反射面８０に到来して反射面８０によって表側へ反射された光が、透過孔５０２を透過して、右ボデー８２内及び左ボデー８４内を照明可能にされている。なお、右ケース６８及び左ケース７０の他側部分７８に、表側面において、透過孔５０２に比し小さな複数の透過孔を形成することで、ランプ６０から反射面８０に到来して反射面８０によって表側へ反射された光が、複数の透過孔を透過して、右ボデー８２内及び左ボデー８４内を照明可能にした構成としてもよい。
【０１２１】
右ボデー８２内及び左ボデー８４内のレバー４１０は、右ケース６８内及び左ケース７０内に挿入されておらず、レバー４１０の一端は、右ケース６８及び左ケース７０の裏壁を貫通されずに、Ａ／Ｍケーブル９４及びモードケーブル１０６に連結されている。
【０１２２】
ここで、本実施の形態でも、上記第４の実施の形態と同様の作用及び効果を奏することができる。
【図面の簡単な説明】
【０１２３】
【図１】本発明の第１の実施の形態に係るヒータコントロール装置を示す右斜め表側から見た分解斜視図である。
【図２】本発明の第１の実施の形態に係るヒータコントロール装置を示す右斜め表側から見た斜視図である。
【図３】本発明の第１の実施の形態に係るヒータコントロール装置を示す表側から見た正面図である。
【図４】本発明の第１の実施の形態に係るヒータコントロール装置を示す上側から見た断面図である。
【図５】本発明の第１の実施の形態に係るヒータコントロール装置においてＡ／Ｍコントローラ及びモードコントローラの設置位置がメインコントローラの周方向に沿って変更される状況を示す表側から見た正面図である。
【図６】本発明の第２の実施の形態に係るヒータコントロール装置を示す右斜め表側から見た分解斜視図である。
【図７】本発明の第２の実施の形態に係るヒータコントロール装置の主要部を示す右斜め表側から見た分解斜視図である。
【図８】本発明の第２の実施の形態に係るヒータコントロール装置においてＡ／Ｍコントローラの設置位置がメインコントローラの周方向に沿って変更される状況を示す表側から見た正面図である。
【図９】本発明の第２の実施の形態に係るヒータコントロール装置の変形例におけるモードコントローラを示す右斜め表側から見た分解斜視図である。
【図１０】本発明の第３の実施の形態に係るヒータコントロール装置におけるモードコントローラを示す表側から見た正面図である。
【図１１】本発明の第３の実施の形態に係るヒータコントロール装置におけるモードコントローラの主要部を示す右斜め表側から見た分解斜視図である。
【図１２】本発明の第３の実施の形態に係るヒータコントロール装置におけるモードコントローラを示す右側から見た断面図（図１０の１２−１２線断面図）である。
【図１３】本発明の第３の実施の形態に係るヒータコントロール装置におけるモードコントローラの主要部を示す表側から見た断面図（図１２の１３−１３線断面図）である。
【図１４】本発明の第４の実施の形態に係るヒータコントロール装置の主要部を示す表側から見た断面図（図１６の１４−１４線断面図）である。
【図１５】本発明の第４の実施の形態に係るヒータコントロール装置におけるＡ／Ｍコントローラの主要部を示す右斜め表側から見た破断斜視図である。
【図１６】本発明の第４の実施の形態に係るヒータコントロール装置におけるＡ／Ｍコントローラを示す右側から見た断面図（図１４の１６−１６線断面図）である。
【図１７】本発明の第５の実施の形態に係るヒータコントロール装置におけるモードコントローラを示す上側から見た断面図である。
【図１８】本発明の第５の実施の形態に係るヒータコントロール装置におけるモードコントローラを示す右斜め表側から見た破断斜視図である。
【符号の説明】
【０１２４】
１０    ヒータコントロール装置（操作装置）
１２    空気調節装置
２２    メインコントローラ（設置部）
４６    案内板（維持手段）
６８    右ケース（裏側部）
７０    左ケース（裏側部）
８２    右ボデー（操作部）
８４    左ボデー（操作部）
８６    Ａ／Ｍダイヤルノブ（操作部）
９０    温度表示パネル（操作部）
１００    モードダイヤルノブ（操作部）
１０２    モード表示パネル（操作部）
１０８    案内脚（維持手段）
２００    ヒータコントロール装置（操作装置）
２０２    案内溝（維持手段）
２０６    案内柱（維持手段）
２０８    回転孔（維持手段）
２１０    回転突起（維持手段）
２１２    挿入孔（維持手段）
３００    ヒータコントロール装置（操作装置）
３０２    回転孔（維持手段）
３０６    回転突起（維持手段）
４００    ヒータコントロール装置（操作装置）
５００    ヒータコントロール装置（操作装置）
【図１】
2010023781.tif 000003
【図２】
2010023781.tif 000004
【図３】
2010023781.tif 000005
【図４】
2010023781.tif 000006
【図５】
2010023781.tif 000007
【図６】
2010023781.tif 000008
【図７】
2010023781.tif 000009
【図８】
2010023781.tif 000010
【図９】
2010023781.tif 000011
【図１０】
2010023781.tif 000012
【図１１】
2010023781.tif 000013
【図１２】
2010023781.tif 000014
【図１３】
2010023781.tif 000015
【図１４】
2010023781.tif 000016
【図１５】
2010023781.tif 000017
【図１６】
2010023781.tif 000018
【図１７】
2010023781.tif 000019
【図１８】
2010023781.tif 000020